(57)【要約】【課題】地上波テレビジョン放送およびＦＤＣを用いるＣＡＴＶ放送を受信する受信装置を共用化した場合、ＦＤＣチャネルを受信するために分配回路で高周波信号を二分割する必要があり、復調回路への入力信号レベルが３ｄＢ低下し地上波を受信した場合に弱電界受信性能が低下する。【解決手段】入力端子および主復調回路は地上波とＣＡＴＶで共用化した受信装置において、地上波放送の受信時は、入力高周波信号を分配回路を経由しないで主選局回路に直接入力し、主復調回路で復調する。ＣＡＴＶ放送受信時は、入力高周波信号を分配回路で分配して主選局回路およびＦＤＣ用副選局回路に入力し、主復調回路および副復調回路でそれぞれ復調する。【選択図】  図１
2004274410.tif 000002
【特許請求の範囲】
【請求項１】
第１の方式の放送信号および、付加情報を含む第２の方式の放送信号を入力可能な入力部と、
前記入力された信号を選局し、復調する主選局復調手段と、
前記入力された信号に含まれる付加情報信号を選局し、復調する副選局復調手段と、
前記入力された信号を前記主選局復調手段と、前記複選局復調手段に分配する分配手段と、を備え、
前記入力部に入力された信号が第１の方式の放送信号であるときは、入力信号は、前記分配手段を経由せずに、前記主選局復調手段に入力され、
前記入力部に入力された信号が第２の方式の放送信号であるときは、入力信号は、前記分配手段にて分配されて、前記主選局復調手段と前記副選局復調手段に入力されることを特徴とする受信装置。
【請求項２】
第１の方式の放送信号および、付加情報を含む第２の方式の放送信号を入力可能な入力部と、
前記入力された信号を選局し、復調する主選局復調手段と、
前記入力された信号に含まれる付加情報信号を選局し、復調する副選局復調手段と、
前記入力された信号を前記主選局復調手段と、前記副選局復調手段に分配する分岐手段と、を備え、
前記分岐手段は、第１の方式の放送信号が入力されるとき、および第２の方式の放送信号が入力されるときには、入力信号を前記主選局復調手段と、前記副選局復調手段に分配し、前記主選局復調手段に分配する信号の出力は、前記副選局復調手段に分配される信号の出力よりも大きいことを特徴とする受信装置。
【請求項３】
前記第１の方式の放送とは、８ＶＳＢまたは、ＯＦＤＭにて変調された地上波放送であることを特徴とする請求項１または２に記載の受信装置。
【請求項４】
前記第２の方式の放送とは、ＱＡＭにて変調されたＣＡＴＶ放送であることを特徴とする請求項１ないし３のいずれかに記載の受信装置。
【請求項５】
前記主選局復調手段は、８ＶＳＢまたはＯＦＤＭにて変調された地上波放送信号と、ＱＡＭにて変調されたＣＡＴＶ放送信号のいずれの信号も復調可能な復調回路を備えてなることを特徴とする請求項１または２に記載の受信装置。
【請求項６】
前記主選局復調手段は、８ＶＳＢまたはＯＦＤＭにて変調された地上波放送信号を復調する第１の復調回路と、ＱＡＭにて変調されたＣＡＴＶ放送を復調する第２の復調回路を備えてなることを特徴とする請求項１または２に記載の受信装置。
【請求項７】
前記付加情報は、前記ＣＡＴＶ放送信号の暗号化情報を含むことを特徴とする請求項１ないし６のいずれかに記載の受信装置。
【請求項８】
前記副選局復調手段は、前記付加情報を復調するＱＰＳＫ復調手段を備えてなることを特徴とする請求項１ないし７のいずれかに記載の受信装置。
【請求項９】
前記入力手段にて入力された信号を前記分配手段または、主選局復調手段のいずれかに切替えて入力する第１の切替手段を備えてなることを特徴とする請求項１に記載の受信装置。
【請求項１０】
前記入力部からの入力信号または、前記分配手段からの信号のいずれかを切替えて前記主選局復調手段に入力する第２の切替手段を備えてなることを特徴とする請求項１に記載の受信装置。
【請求項１１】
前記入力部は、第１の入力部と第２の入力部を備え、前記第１の入力部にて入力された地上波放送信号は、前記主選局復調手段に入力され、
前記第２の入力部に入力されたＣＡＴＶ放送信号は、前記分配手段に入力されることを特徴とする請求項１に記載の受信装置。
【請求項１２】
前記主選局復調手段は、第１の方式の放送信号の選局および復調を行なう第１の主選局復調手段と、第２の方式の放送信号の選局および復調を行なう第２の主選局復調手段と、を備えてなることを特徴とする請求項１に記載の受信装置。
【請求項１３】
請求項１ないし１２のいずれかに記載の受信装置を備え、該受信装置にて選局および復調された信号をデコードし映像として表示する表示装置とを備えてなることを特徴とする映像表示装置。
【請求項１４】
請求項１３に記載のテレビジョン放送受信装置であって、ユーザー操作によりまたは自動的に入力される放送方式を特定し、前記表示装置に表示することを特徴とする映像表示装置。
【発明の詳細な説明】
【０００１】
【発明の属する技術分野】
本発明は、複数種類の方式のテレビジョン放送波を受信可能なテレビジョン受信装置に関するものである。
【０００２】
【従来の技術】
近年、地上波テレビジョン放送およびＣＡＴＶ（Ｃａｂｌｅ  Ｔｅｌｅｖｉｓｉｏｎ）放送のデジタル化が推進されている。デジタル地上波テレビジョン放送においては、米国では８ＶＳＢ（Ｖｅｓｔｉｇｉａｌ  Ｓｉｄｅ    Ｂａｎｄ）、日本や欧州ではＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）といった変調方式が採用されている。またデジタルＣＡＴＶでは変調方式として主にＱＡＭ（Ｑｕａｄｒａｔｕｒｅ  Ａｍｐｌｉｔｕｄｅ  Ｍｏｄｕｌａｔｉｏｎ）が使用される。このように地上波とＣＡＴＶでは変調方式が異なるが、地上波およびＣＡＴＶ双方の復調回路を備え受信装置を共用化する技術が、例えば下記特許文献１に記載されている。
【０００３】
【特許文献１】
特開平１１−３５５６８１号公報
【０００４】
上記特許文献１のように、復調回路を地上波とＣＡＴＶ双方の復調が可能な回路とすれば、地上波およびＣＡＴＶ放送の双方を受信可能なテレビジョン受信装置が構成可能である。
【０００５】
【発明が解決しようとする課題】
デジタルＣＡＴＶの技術動向として、従来の映像および音声を含むテレビジョン信号を送信するＦＡＴ（Ｆｏｒｗａｒｄ  Ａｐｐｌｉｃａｔｉｏｎ  Ｔｒａｎｓｐｏｒｔ）チャンネルに加えて、ＯＯＢ（Ｏｕｔ  Ｏｆ  Ｂａｎｄ）と呼ばれる周波数の異なるサブチャンネルで付加情報を送受信するシステムが規格化、実用化が進められている。この場合、送信局からＦＤＣ（Ｆｏｒｗａｒｄ  Ｄａｔａ  Ｃｈａｎｎｅｌ）と呼ばれるチャンネルでＦＡＴチャンネルに関する暗号化情報等の付加情報を送信し、受信機から送信局へＲＤＣ（Ｒｅｔｕｒｎ  Ｄａｔａ  Ｃｈａｎｎｅｌ）と呼ばれるチャンネルで受信機情報等を送信する。ＦＤＣの変調方式にはＱＰＳＫ（Ｑｕａｄｒａｔｕｒｅ  Ｐｈａｓｅ  Ｓｈｉｆｔ  Ｋｅｙｉｎｇ）が用いられ、ＦＡＴを受信するＱＡＭ受信回路と独立してＦＤＣのＱＰＳＫ受信回路が必要である。
【０００６】
また、ＣＡＴＶ放送の場合は、高周波信号の信号レベルはＣＡＴＶ事業者によって管理され、復調に問題が生じないよう十分なマージンを持って送信されている。このため、受信装置において分配回路で高周波信号を二分配すると復調回路およびＦＤＣ復調回路に入力される信号レベルは３ｄＢ低下するが、復調に十分な信号レベルが確保でき復調に何らの問題は生じない。
【０００７】
これに対し、地上波放送の場合は、受信環境は様々であって弱電界環境での受信も必要とされる。ＣＡＴＶ受信時と同様に分配回路で高周波信号が二分割され選局回路への入力信号レベルが３ｄＢ低下するが、強電界環境であれば選局回路の増幅作用によって復調回路への入力信号レベルは適性値に保たれる。しかし弱電界環境では選局回路の増幅作用にも限界があるため、復調回路への入力信号レベルも３ｄＢ低下し、復調回路における受信性能が低下してしまう。
【０００８】
以上のように、地上波およびＦＤＣを用いるＣＡＴＶ放送を受信するテレビジョン受信装置を共用化すると、地上波を受信した場合の弱電界受信性能が低下するという問題がある。
【０００９】
本発明の目的は、地上波テレビジョン放送の弱電界受信性能を低下させることなく、地上波およびＦＤＣ対応のＣＡＴＶ信号を受信可能なテレビジョン受信装置を提供することにある。
【００１０】
【課題を解決するための手段】
以上の問題解決のために、本発明は第１の方式の放送信号および、付加情報を含む第２の方式の放送信号を入力可能な入力部と、前記入力された信号を選局し、復調する主選局復調手段と、前記入力された信号に含まれる付加情報信号を選局し、復調する副選局復調手段と、前記入力された信号を前記主選局復調手段と、前記複選局復調手段に分配する分配手段と、を備え、前記入力部に入力された信号が第１の方式の放送信号であるときは、入力信号は、前記分配手段を経由せずに、前記主選局復調手段に入力され、前記入力部に入力された信号が第２の方式の放送信号であるときは、入力信号は、前記分配手段にて分配されて、前記主選局復調手段と前記副選局復調手段に入力される構成とする。
【００１１】
上記の構成によれば、地上波放送の受信時は分配回路を経由しないため、弱電界環境であっても主選局回路および主復調回路に入力する信号レベルが低下することがなく、弱電界受信性能が低下することがない。またＣＡＴＶ放送受信時は分配回路で分割された信号が主復調回路およびＦＤＣを復調する副復調回路に入力されるため、ＦＤＣを用いたＣＡＴＶ放送に対応可能である。
【００１２】
【発明の実施の形態】
本発明の好ましい実施の形態について、図面を参照しながら説明する。なお、各図面に共通な部分には同一符号を付す。図１は、本発明に係るテレビジョン受信装置の第一の実施形態を示すブロック図である。
【００１３】
図１において、１０は入力端子、１１は第一の切替回路、１２は分配回路、１３は第二の切替回路、１４は選局回路、１５は復調回路、１６はＦＤＣ選局回路、１７はＦＤＣ復調回路を示す。
【００１４】
入力端子１０には地上波テレビジョン放送の高周波信号またはＣＡＴＶ放送の高周波信号が入力される。この高周波信号はＣＡＴＶ放送の場合は広帯域幅のＦＡＴチャンネルと狭帯域幅のＦＤＣを含んでいる。
【００１５】
最初にＣＡＴＶ放送受信時の動作について説明する。入力端子１０に入力された高周波信号は第一の切替回路１１に入力される。切替回路１１は第二の切替回路１３または分配回路１２のいずれかに高周波信号を出力する回路であって、ＣＡＴＶ放送を受信する場合は入力された高周波信号を分配回路１２に対し出力する。分配回路１２は切替回路１１から入力される高周波信号を二分割し、分割した高周波信号をそれぞれ切替回路１３およびＦＤＣ選局回路１６に出力する。このとき分割した高周波信号は入力端子１０に入力された高周波信号に対し３ｄＢ信号レベルが低下することとなる。切替回路１３は切替回路１１および分配回路１２からの高周波信号が入力され、何れかの信号を選択して選局回路１４に出力する回路であって、ＣＡＴＶ放送を受信する場合は分配回路１２から入力された高周波信号を選局回路１４に対し出力する。選局回路１４は入力された高周波信号からＣＡＴＶ放送のチャンネル周波数に従い選局を行ない、復調回路１５に対し出力する。ちなみに地上波のチャンネル帯域幅とＣＡＴＶ放送のＦＡＴチャンネル帯域幅は同一であるため、選局回路１４は何れの放送受信時も共用化できる。また復調回路１５に対し出力する信号は、中間周波数信号でもベースバンド信号のいずれでも復調回路１５が対応する信号であればよい。復調回路１５は地上波およびＣＡＴＶ放送のＦＡＴチャンネルに使用される変調信号の復調に対応しており、例えば米国であれば地上波の８ＶＳＢ信号およびＣＡＴＶのＱＡＭ信号の復調が可能である。したがってＣＡＴＶ放送を受信する場合はＱＡＭ信号の復調を行いデジタルテレビジョン信号を出力する。
【００１６】
また分配回路１２で分配された高周波信号はＦＤＣ選局回路１６にも入力され、ＦＤＣ周波数に従い選局を行なってＦＤＣ復調回路１７に出力される。ＦＤＣ復調回路１７はＦＤＣの変調方式に対応した復調を行い、例えばＱＰＳＫ復調を行って付加情報を出力する。
【００１７】
次に地上波放送を受信する場合の動作について説明する。入力端子１０に入力された高周波信号は、ＣＡＴＶ放送の受信時と同様に第一の切替回路１１に入力される。地上波放送の受信時は、切替回路１１は入力された高周波信号を切替回路１３に対し出力する。切替回路１３は切替回路１１からの高周波信号を選局回路１４に対し出力する。したがってＣＡＴＶ放送受信時と異なり分配回路１２を経由しないため、入力端子１０への入力高周波信号と同じ信号レベルの高周波信号が選局回路１４に入力される。選局回路１４は入力された高周波信号から地上波放送のチャンネルを選局し復調回路１５に対し出力する。復調回路１５は例えば米国であれば地上波の８ＶＳＢ信号の復調を行いデジタルテレビジョン信号を出力する。
【００１８】
なお、地上波受信の場合はＦＤＣにあたる信号は存在しないため、分配回路１２、ＦＤＣ選局回路１６およびＦＤＣ復調回路１７は動作しない。以上説明したように、ＣＡＴＶ放送受信時は分配回路１２で高周波信号を分配することによりＦＡＴチャンネルとＦＤＣを同時受信しそのサービスを受けることができる。また地上波放送受信時は分配回路１２を経由しないため選局回路１４に入力される信号レベルが低下することなく、入力端子１０に入力される高周波信号レベルが低い弱電界環境においても分配回路１２による受信性能低下を防ぐことができる。
【００１９】
続いて、図２に示す本発明に係るテレビジョン受信装置の第二の実施形態について説明する。図２において、２１は地上波選局回路、２２は地上波復調回路、２３はＦＡＴ選局回路、２４はＦＡＴ復調回路を示す。
【００２０】
第一の実施例においては選局回路１４と復調回路１５を地上波およびＣＡＴＶ放送受信時で共用していたが、これらの回路を図２に示すように地上波とＣＡＴＶ放送用に専用に構成することも可能である。
【００２１】
ＣＡＴＶ放送の受信時は、切替回路１１は入力された高周波信号を分配回路１２に対し出力する。分配回路１２は切替回路１１からの入力高周波信号を二分割し、分割した高周波信号をそれぞれＦＡＴ選局回路２３およびＦＤＣ選局回路１６に出力する。ＦＡＴ選局回路２３は入力された高周波信号からＣＡＴＶ放送のＦＡＴチャンネルを選局しＦＡＴ復調回路２４に対し出力する。ＦＡＴ復調回路２４はＱＡＭ信号の復調を行いデジタルテレビジョン信号を出力する。ＦＤＣ選局回路１６およびＦＤＣ復調回路１７は、図１に示した実施例と同様に、ＦＤＣ選局と復調を行い付加情報を出力する。
【００２２】
地上波放送の受信時は、切替回路１１は入力された高周波信号を地上波選局回路２１に対し出力する。したがってＣＡＴＶ放送受信時と異なり、分配回路１２を経由しないため入力端子１０への入力高周波信号と同じ信号レベルの高周波信号が地上波選局回路２１に入力される。地上波選局回路２１は入力された高周波信号から地上波放送のチャンネルを選局し、地上波復調回路２２は例えば米国であれば８ＶＳＢ信号の復調を行いデジタルテレビジョン信号を出力する。なお、地上波受信の場合は分配回路１２以降の回路は動作しない。
【００２３】
以上説明したように、ＣＡＴＶ放送受信時は分配回路１２で高周波信号を分配することによりＦＡＴチャンネルとＦＤＣを同時受信しそのサービスを受けることができる。また地上波放送受信時は入力高周波信号が直接地上波選局回路２１に入力されるため信号レベルが低下することがなく、弱電界環境における受信性能低下を防ぐことができる。
【００２４】
以上、図２に示した実施例では選局および復調回路を完全に地上波およびＣＡＴＶ放送受信時で分けていたが、選局回路のみを共用化する構成とすることも可能である。その場合の第三の実施形態を図３に示す。図３において、３１は第三の切替回路を示す。
【００２５】
ＣＡＴＶ放送の受信時は、切替回路１１は入力された高周波信号を分配回路１２に対し出力する。分配回路１２は切替回路１１からの入力高周波信号を二分割し、分割した高周波信号をそれぞれ切替回路１３およびＦＤＣ選局回路１６に出力する。切替回路１３は分配回路１２からの信号を選択し選局回路１４に対し出力する。選局回路１４は入力高周波信号からＣＡＴＶ放送のＦＡＴチャンネルを選局し切替回路３１に対し出力する。切替回路３１は選局回路１４からの信号を地上波復調装置２２またはＦＡＴ復調装置２４のいずれかに出力する回路であって、ＣＡＴＶ受信時はＦＡＴ復調回路２４に対し出力する。ＦＡＴ復調回路２４はＱＡＭ信号の復調を行いデジタルテレビジョン信号を出力する。ＦＤＣ選局回路１６およびＦＤＣ復調回路１７は、図１に示した実施例と同様にＦＤＣ選局と復調を行い付加情報を出力する。
【００２６】
地上波放送の受信時は、切替回路１１は入力高周波信号を切替回路１３に対し出力する。切替回路１３は切替回路１１からの高周波信号を選択し、選局回路１４に対し出力する。したがってＣＡＴＶ放送受信時と異なり分配回路１２を経由しないため、入力端子１０への入力高周波信号と同じ信号レベルの信号が選局回路１４に入力される。選局回路１４は入力高周波信号から地上波放送チャンネルを選局し切替回路３１に対し出力する。切替回路３１は地上波復調回路２２に対し選局された信号を出力するように切替え、地上波復調回路２２は８ＶＳＢ信号の復調を行いデジタルテレビジョン信号を出力する。なお、地上波受信の場合は分配回路１２以降の回路は動作しない。
【００２７】
以上説明したように、ＣＡＴＶ放送受信時は分配回路１２で高周波信号を分配することによりＦＡＴチャンネルとＦＤＣを同時受信しそのサービスを受けることができる。また地上波放送受信時は入力高周波信号が直接選局回路１４に入力されるため、信号レベルが低下することなく、弱電界環境においても受信性能低下を防ぐことができる。
【００２８】
以上説明した実施例では入力端子が１つであり、地上波とＣＡＴＶ放送の高周波信号を同一端子に入力していた。これに対し、選局回路および復調回路を共用化し、入力端子を地上波とＣＡＴＶ放送で分けた場合においても、地上波放送受信時の受信性能低下を防ぐことが可能である。以下、その場合の実施例について図４を用いて説明する。
【００２９】
図４において、４０は地上波放送の高周波信号入力端子、４１はＣＡＴＶ放送の高周波信号入力端子であり、常時各高周波信号が入力されている。入力端子４０からの地上波高周波信号は切替回路１３に入力され、入力端子４１からのＣＡＴＶ放送高周波信号は分配回路１２に入力され分配された信号が切替回路１３およびＦＤＣ選局回路１６に対し出力される。
【００３０】
ＣＡＴＶ放送の受信時は、切替回路１３は分配回路１２からの高周波信号を選択し選局回路１４に対し出力する。選局回路１４は入力された高周波信号からＣＡＴＶ放送のＦＡＴチャンネルを選局し復調回路１５に対し出力し、復調回路１５はＱＡＭ信号の復調を行いデジタルテレビジョン信号を出力する。ＦＤＣ選局回路１６およびＦＤＣ復調回路１７は、図１に示した実施例と同様に、ＦＤＣ選局と復調を行い付加情報を出力する。
【００３１】
地上波放送の受信時は、切替回路１３は入力端子４０からの入力高周波信号を選択し、選局回路１４に対し出力する。したがってＣＡＴＶ放送受信時と異なり分配回路１２を経由しないため、入力端子１０への入力高周波信号が直接選局回路１４に入力される。選局回路１４は入力された高周波信号から地上波放送チャンネルの選局を行い復調回路１５に対し出力し、波復調回路１５は８ＶＳＢ信号の復調を行いデジタルテレビジョン信号を出力する。なお、地上波受信の場合は分配回路１２以降の回路は動作しない。
【００３２】
以上説明したように、ＣＡＴＶ放送受信時は分配回路１２で高周波信号を分配することによりＦＡＴチャンネルとＦＤＣを同時受信しそのサービスを受けることができる。また地上波放送受信時は入力高周波信号が直接選局回路１４に入力されるため、信号レベルが低下することなく、弱電界環境においても受信性能低下を防ぐことができる。これにより、装置の低コスト化および高画質化が可能となる。
【００３３】
なお、以上説明した実施例における切替回路は、入力端子１０に入力される高周波信号の種類によって切替動作が行われる。地上波またはＣＡＴＶ放送の判定方法はユーザに受信信号を指定させてよいし、復調回路１５で復調を行なった結果に基づいて判定してもよい。また、これらの指定や判定に基づいて、表示画面上に地上波またはＣＡＴＶの区別をＯＳＤ（Ｏｎ  Ｓｃｒｅｅｎ  Ｄｉｓｐｌａｙ）表示することも可能である。
【００３４】
また、他の実施例として、分岐回路を用いた実施例を図５にて説明する。上記の実施例における分配回路の場合の信号は等分されて出力されるため、入力に対する出力の損失は回路内損失が無ければ３ｄＢとなる。これに対して本実施例における分岐回路６０は信号の一部を分岐して取り出すもので、入力された高周波電力の大部分は通過出力６１に現れ、一部分を分岐出力６２として取り出すものである。
【００３５】
分岐回路６０の入力レベルと通過出力６１との信号レベル差を挿入損失と呼ぶが、挿入損失は分岐出力６２の電力に影響される。分岐出力６２の電力を小さくすれば、挿入損失を低減し通過出力６１の電力を大きくすることが可能である。
【００３６】
ここでＦＤＣは変調方式がＱＰＳＫであるため所要ＣＮは比較的小さく、信号レベルも一定に管理されているため、分岐器の分岐出力６２の電力を小さくしても受信に影響が少ない。このため、ＣＡＴＶ受信時はＦＡＴチャンネルとＦＤＣを双方とも問題なく受信可能である。
【００３７】
地上波を受信する場合も分岐回路６０で信号が通過および分岐されるが、分岐出力６１の電力を小さくし通過出力６１の電力を大きくしているため、選局回路１４に入力される通過出力６１の信号レベル低減を抑えることができる。これにより、分配回路を用いた例と比較して、地上波の弱電界受信限界の劣化を抑えることが可能である。また、切替回路等が不要となり低コストである。
【００３８】
上記に説明した受信装置は、地上波またはＣＡＴＶ放送信号を選局、復調し、復調されたデジタル信号のデコード等の処理を行った後、映像、音声等として図示しない表示装置等に出力される。また、本発明の構成を、プラズマディスプレイや液晶ディスプレイ等の表示装置内蔵のチューナユニットとして用いてもよい。
【００３９】
【発明の効果】
以上、本発明の構成によれば、複数の方式のテレビジョン信号を受信することができ、低コスト化が実現できる。
【図面の簡単な説明】
【図１】本発明に係る第一の形態を示す図である。
【図２】本発明に係る第二の形態を示す図である。
【図３】本発明に係る第三の形態を示す図である。
【図４】本発明に係る第四の形態を示す図である。
【図５】本発明に係る第五の形態を示す図である。
【符号の説明】
１０…入力端子、１１…第一の切替回路、１２…分配回路、１３…第二の切替回路、１４…選局回路、１５…復調回路、１６…ＦＤＣ選局回路、１７…ＦＤＣ復調回路、６０…分岐回路
【図１】
2004274410.tif 000003
【図２】
2004274410.tif 000004
【図３】
2004274410.tif 000005
【図４】
2004274410.tif 000006
【図５】
2004274410.tif 000007